(57)【要約】【課題】            持続的血液浄化療法では、長時間かけて治療法を行うために、患者の血液の活性化凝固時間（ＡＣＴ）などの凝固分析が行なわれている。  人工心肺回路においても、血液の凝固能を確認するために、患者の血液の活性化凝固時間（ＡＣＴ）などの凝固分析が行なわれている。  持続的血液浄化療法や人工心肺回路などの血液回路内の血液の活性化凝固時間（ＡＣＴ）などの凝固分析を簡便に行う方法が求められている。【解決手段】        本発明は、患者の静脈系あるいは動脈系から導出した血液を血液処理部に導いて血液の処理を行なった後、血液を患者の静脈系に返血する血液装置において、静脈系あるいは動脈系から上記血液処理部に血液を導く脱血回路内又は血液処理部より血液を患者の静脈系に返血する返血回路内に血液凝固分析装置を設けることを特徴とする血液装置を提供することである。【選択図】          図１
2005261742.tif 000002
【特許請求の範囲】
【請求項１】
患者の静脈系あるいは動脈系から導出した血液を血液処理部に導いて血液の処理を行なった後、血液を患者の静脈系に返血する血液装置において、
静脈系あるいは動脈系から上記血液処理部に血液を導く脱血回路内又は血液処理部より血液を患者の静脈系に返血する返血回路内に血液凝固分析装置を設けることを特徴とする血液装置。
【請求項２】
血液凝固分析装置は、活性化凝固時間（ＡＣＴ）を測定することを特徴とする請求項１に記載の血液装置。
【請求項３】
血液凝固分析装置は、脱血回路又は返血回路より所定の時間間隔で自動的に血液を採取する機構を有する血液凝固分析装置であることを特徴とする請求項１又は請求項２に記載の血液装置。
【発明の詳細な説明】
【技術分野】
【０００１】
本発明は、静脈系あるいは動脈系より脱血した血液を、血液中の老廃物の除去や、水分の除去のために用いられている生体の臓器機能を補助あるいは代行する血液ろ過器などの血液浄化器、人工心肺回路などの血液装置に、活性化凝固時間（ＡＣＴ）を測定するための自動血液採取機能を有する血液凝固分析装置を設けた血液装置に関する。
【背景技術】
【０００２】
従来、血液浄化法として、全血交換、血漿交換、血液吸着、血液透析、血液ろ過、血液透析ろ過、腹膜透析などが広く臨床に応用されている。腎機能不全の患者やその他の原因で重篤な状態にあり、そのために腎不全の兆候の現れた患者、あるいは術後の薬液注入によって水分過多症になった患者などの重篤な状態を改善するために、臨床の場で血液ろ過が行われている。
【０００３】
例えば、特許文献１及び特許文献２には、ＩＣＵ、ＣＣＵなどの極めて狭い場所に於いて、医師などが効果的な施術をすることができる、持続的血液浄化用装置が開示されている。
【０００４】
【特許文献１】特開平８−１９１８８９号公報
【特許文献２】特開平９−０１０３０４号公報
【発明の開示】
【発明が解決しようとする課題】
【０００５】
しかし、この血液浄化療法を短時間に施行すると、患者の体液バランスが急激に変動して患者の状態が急変し、これが患者に悪影響を与えるため、長時間かけて患者を徐々に正常に戻す方法、即ち、持続的血液浄化療法が特に重症患者に対する有効な治療法として急速に普及しつつあり、主にＩＣＵ、ＣＣＵなど集中治療室において体液バランスを厳密に管理しながら実施されている。
【０００６】
持続的血液浄化療法では、長時間かけて治療法を行うために、患者の血液の活性化凝固時間（ＡＣＴ）などの凝固分析が行なわれている。
人工心肺回路においても、血液の凝固能を確認するために、患者の血液の活性化凝固時間（ＡＣＴ）などの凝固分析が行なわれている。
持続的血液浄化療法や人工心肺回路などの血液回路内の血液の活性化凝固時間（ＡＣＴ）などの凝固分析を簡便に行う方法が求められている。
【課題を解決するための手段】
【０００７】
本発明は、患者の静脈系あるいは動脈系から導出した血液を血液処理部に導いて血液の処理を行なった後、血液を患者の静脈系に返血する血液装置において、
静脈系あるいは動脈系から上記血液処理部に血液を導く脱血回路内又は血液処理部より血液を患者の静脈系に返血する返血回路内に血液凝固分析装置を設けることを特徴とする血液装置を提供することである。
【０００８】
本発明の血液装置の好ましい態様を示す。
血液装置は、人工透析回路、持続的血液浄化用回路、人工心肺回路などの血液回路が好ましい。
血液凝固分析装置は、活性化凝固時間（ＡＣＴ）などを測定する血液凝固分析装置であることが好ましい。
血液凝固分析装置は、脱血回路又は返血回路より所定の時間間隔で自動的に血液を採取する機構を有する血液凝固分析装置であることが好ましい。
血液凝固分析装置は、脱血回路又は返血回路より所定の時間間隔で自動的に血液を採取し、活性化凝固時間（ＡＣＴ）などの血液成分を分析する装置であることが好ましい。
【発明の効果】
【０００９】
血液回路より採取した血液の血液凝固分析は、従来脱血回路内又は返血回路内から人為的に血液のサンプリングを行い、これを血液凝固分析装置にセットして活性化凝固時間（ＡＣＴ）などの測定を行っていた。この血液のサンプリングを所定の時間間隔で自動的に行い、その活性化凝固時間（ＡＣＴ）などを測定表示することで、人為的なミスを無くし、手間を省くことが出来、安全で効率的な医療を確立することが出来る。
【発明を実施するための最良の形態】
【００１０】
以下に、本発明の実施の形態を図面および実施例につき詳しく説明する。本発明は、これらの実施の形態のみに限定されるものではない。
【００１１】
図１には、本発明の一実施例である持続的血液浄化用回路に血液凝固分析装置を有する血液装置を示す。
血液装置１は、患者の静脈系あるいは動脈系から持続的血液浄化用回路２に血液を導く脱血回路４ａ内に血液凝固分析装置３が設けられている。
血液凝固分析装置３は、持続的血液浄化用回路２より血液を患者の静脈系に返血する返血回路４ｂ内に血液凝固分析装置３が設けることができる。
【００１２】
持続的血液浄化用回路２は、特開平８−１９１８８９号公報や特開平９−０１０３０４号公報などに記載の持続的血液浄化用装置や持続緩徐式血液浄化装置などを用いることが出来る。
【００１３】
図２には、本発明の一実施例である人工心肺回路に血液凝固分析装置を有する血液装置を示す。
血液装置１１は、患者の静脈系から人工心肺回路１２に血液を導く脱血回路１４ａ内に血液凝固分析装置１３が設けられている。
血液凝固分析装置１３は、人工心肺回路１２より血液を患者の動脈系に送血する送血回路１４ｂ内に血液凝固分析装置３が設けることができる。
人工心肺回路は、公知の人工心肺回路を用いることができる。人工心肺回路の一例として、加熱及び／又は冷却可能な熱交換器を回路内に有する脱血回路、人工肺、貯血槽、血液ポンプ及びろ過機構を有する返血回路などを基本回路として有するものを用いることが出来る。人工心肺回路の一例として、加熱及び／又は冷却可能な熱交換器及び血液ポンプを回路内に有する脱血回路、人工肺、貯血槽、血液ポンプ及びろ過機構を有する返血回路などを基本回路として有するものを用いることが出来る。
【００１４】
血液凝固分析装置は、活性化凝固時間（ＡＣＴ）などの血液成分を測定する装置である。血液凝固分析装置は、脱血回路又は返血回路（送血回路）に設けられる。血液凝固分析装置は、脱血回路又は返血回路（送血回路）より、自動的に血液を採取する機構を有する。血液凝固分析装置は、脱血回路又は返血回路（送血回路）から血液を所定時間ごとに自動的に採取し、必要なら採取血液は振動などの方法により攪拌を行い、その後自動的に血液凝固分析装置により血液成分の分析を行うことが出来、自動採取機構、自動測定機構を有する。
【図面の簡単な説明】
【００１５】
【図１】本発明の持続的血液浄化用回路に血液凝固分析装置を有する血液装置の一例である。
【図２】本発明の人工心肺回路に血液凝固分析装置を有する血液装置の一例である。
【符号の説明】
【００１６】
１，１１：血液装置、
２：持続的血液浄化用回路、
１２：人工心肺回路、
３，１３：血液凝固分析装置、
４ａ，１４ａ：脱血回路、
４ｂ：返血回路、
１４ｂ：送血回路。
【図１】
2005261742.tif 000003
【図２】
2005261742.tif 000004